(57)【要約】      （修正有） 【課題】口腔内の雑菌の繁殖を有効に防止できる抗菌、防臭  防カビ性  多機能歯ブラシを提供する。【解決手段】本体軸１とその先端部に天然毛等の毛束５が植毛穴３を介して植毛されている構成とする。銀合金ナノ複合膜４は、植毛される前に先端部においてＰＶＤ法によってコーティングされ、植毛面２及び植毛穴３の内面に、均一にコーティングされる。その後、天然毛等の毛束５を植毛して、多機能抗菌歯ブラシが完成する。また、植毛底部にコーティングする銀合金ナノ複合膜４には、微量のＰｄ，Ｐｔ等の元素を複合化することにより、抗菌力を向上させると共に、水道水中の塩素イオンによる銀の抗菌効果の失活を防止する。【選択図】図１
0003157437.tif 000002
【実用新案登録請求の範囲】
【請求項１】
歯ブラシの植毛面及び植毛穴の内面に、銀合金ナノ複合膜を形成したことを特徴とする多機能抗菌歯ブラシ。
【請求項２】
前期銀合金ナノ複合膜の組成が、銀、白金、パラジウム及び炭素のいずれか一元素を0.1〜20ｗｔ％とし、亜鉛酸化物又はチタン酸化物のいずれかを０〜１０ｗｔ％で構成される請求項１に記載の多機能抗菌歯ブラシ。
【請求項３】
前記銀合金ナノ複合膜の膜厚が、１〜１０００ｎｍであることを特徴とする請求項１又請求項２に記載の多機能抗菌歯ブラシ。
【請求項４】
前記銀合金ナノ複合膜の厚さを １〜１００ｎmに制御し、その上にTi化合物、膜厚０〜１００ｎｍを積層化することを特徴とする請求項１又請求項２に記載の多機能抗菌歯ブラシ。
【請求項５】
前記銀合金ナノ複合膜と歯ブラシ本体軸の基材と間に、接着層としてケイ素又はチタンの化合物膜（膜厚０〜１００ｎｍ）を有することを特徴とする請求項１から請求項４の何れかに記載の多機能抗菌歯ブラシ。
【考案の詳細な説明】
【技術分野】
【０００１】
本考案は、多機能（抗菌、抗カビ、防臭機能）付歯ブラシに関するものである。  
【背景技術】
【０００２】
近年、食生活が向上することにより味覚の趣向もレベルアップし、高級化されると共に、口腔内における衛生問題が強く叫ばれるようになっている。口腔内の衛生、特に口臭、虫歯、歯槽膿漏、歯周病等の口内炎を防止するため、各種の歯ブラシが市販されるようになってきた。
【０００３】
しかしながら、抗菌用として近年使用されている銀系抗菌剤は、抗菌効果が不十分なだけでなく、水道水中の塩素イオンと反応して抗菌効果が失活する欠点があり、性能的に不十分である。このため安全でかつ種々な使用条件に晒されても、長期にわたり、抗菌効果や消臭機能が持続する多機能抗菌歯ブラシが求められている。
【先行技術文献】
【特許文献】
【０００４】
【特許文献１】特開2009-197341号公報
【考案の概要】
【考案が解決しようとする課題】
【０００５】
本考案は、従来の歯ブラシが  歯に付着した食品の食べ滓を除去することに重点がおかれ、口腔内で繁殖した虫歯菌等の各種雑菌の繁殖防止という点では不十分であった点に鑑みてなされたものである。本発明が解決しようとする課題は、こうした従来の歯ブラシの欠点を解消するため、口腔内の雑菌の繁殖を有効に防止できる抗菌効果と防臭性とを兼ね備え、かつその効果が長期間にわたって持続する多機能抗菌歯ブラシを提供することにある。
【課題を解決するための手段】
【０００６】
本考案は 口腔内での雑菌の繁殖を有効に防止できる機能を付与するため、歯ブラシの植毛面及び植毛穴の内面に、PVD法等により付着力の強固な銀合金ナノ複合膜を １〜１０００nmの厚さにコーティングすることにより、抗菌効果と防臭機能を長期にわたって発現できる機能が付与されることを特徴とする多機能抗菌歯ブラシである。
【０００７】
上記におけるコーティングされる銀合金ナノ複合膜は、その組成が銀、白金、パラジウム及び炭素のいずれか一元素を０.１〜２０ｗｔ％（重量パーセントの略以下同じ）とし、また亜鉛酸化物又はチタン酸化物のいずれかを０〜１０ｗｔ％で構成されることを特徴とする。
【０００８】
更に、銀合金ナノ複合膜の抗菌性等の効果を、より長期間にわたって持続させるため、その銀合金ナノ複合膜表面にTi化合物膜を薄くコーティングする。そのため銀合金ナノ複合膜の膜厚を１〜１００ｎｍに制御し、その上にTi化合物膜を積層化することにより、より長期間にわたって効果を持続させることができる。
【０００９】
また、銀合金ナノ複合膜と歯ブラシ本体の基材との密着性を高めるため、銀合金ナノ複合膜と歯ブラシ本体基材と間に、接着層としてケイ素又はチタンの化合物膜（膜厚０〜１００ｎｍ）を形成する。この接着層により歯ブラシ本体基材との密着性を向上させると共に、基材から有機物等が浸透し、銀合金ナノ複合膜を劣化させることを防止することができる。
【考案の効果】
【００１０】
銀は、人間に対して極めて安全な金属であり、古来食器等にも多用されており、抗菌効果の高いこともよく知られている。しかし、銀元素の抗菌性は、硫化物やハロゲン化物の存在により失活するため、銀元素を白金、パラジウム、炭素等の微量元素や酸化亜鉛，酸化チタン等の金属酸化物などと複合化することにより、この欠点を除去することができる。この銀元素との複合化をPVD法において実現し、PVD法により作成する銀合金ナノ複合膜を、歯ブラシの植毛面及び植毛穴の内面にコーティングすることにより、種々の使用条件に於いても  抗菌、防臭効果が失活することなく、充分な使用期間において  効果が持続する多機能抗菌歯ブラシが実現される。
【００１１】
本考案によれば、銀合金ナノ複合膜をコーティングしているため、硫化物やハロゲン化物が存在しても失活することがなく，２ヶ月以上の長期間にわたって充分な効果が発現できた。また他の光触媒利用の抗菌処理品と比較しても、本考案による銀合金ナノコーティング膜は、光触媒が必要とする光がなくても，充分に抗菌効果等が発現する多機能抗菌歯ブラシである。
【図面の簡単な説明】
【００１２】
【図１】膜コーティング後、植毛した多機能抗菌歯ブラシ（全体断面図）
【図２】膜コーティング後の歯ブラシ本体先端部（実施例１）
【図３】実施例２の時の膜構成（植毛穴の内面断面の拡大図）
【図４】実施例３の時の膜構成（植毛穴の内面断面の拡大図）
【考案を実施するための形態】
【００１３】
以下に、図面を参照にしながら  本考案の実施の形態を、さらに具体的に説明する。
本考案において使用する歯ブラシは、従来公知の各種樹脂成型品等の歯ブラシであり、特に限定さるものではない。本考案の特徴は、歯ブラシへの植毛工程前に植毛底部を抗菌性の優れる銀合金ナノ複合膜でコーティングし、抗菌効果と防臭機能を長期にわたって発現できる多機能抗菌歯ブラシを提供するものである。
【実施例】
【００１４】
実施例１
図１は本考案の多機能抗菌歯ブラシの１態様を示す断面図である。
歯ブラシは、本体軸１とその先端部に天然毛等の毛束５が植毛穴３ を介して植毛されている構成となっている。先端部においての植毛穴３以外の平面を植毛面２として図示している。本考案の特徴である銀合金ナノ複合膜４は、植毛される前に先端部においてPVD法によってコーティングされ、植毛面２及び植毛穴３の内面に、均一に  コーティングされる。その後、天然毛等の毛束５を植毛して、多機能抗菌歯ブラシが完成する。
【００１５】
本考案の主たる特徴は、植毛底部にコーティングされる銀合金ナノ複合膜４に微量のPd,Pt等の元素を複合化することにより、抗菌力を向上させると共に、水道水中の塩素イオンによる銀の抗菌効果の失活を防止することである。
【００１６】
実施例２
コーティングされる銀合金ナノ複合膜４は、単層の膜だけで十分実用に耐えられるだけの耐久性は有しているが、更に銀合金ナノ複合膜４の厚さを １〜１００ｎmに制御し、図３に示すTi化合物膜６をトップコート膜として積層化することにより、より長期にわたって効果を持続させることができる。
【００１７】
実施例３
また、一般に歯ブラシ本体軸１は各種樹脂成型品で成形されているが、長期間の使用によりその本体基材から有機物等が浸透し、銀合金ナノ複合膜４を劣化させることがある。また歯ブラシ本体軸１の成形樹脂の種類によっては、銀合金ナノ複合膜４との密着性が十分でない場合がある。そのため、歯ブラシ本体軸１と銀合金ナノ複合膜４との間に、接着層７としてケイ素又はチタンの化合物膜（膜厚０〜１００ｎｍ）を形成し、密着性を向上させると共に、有機物の浸透を防止することができる。このため、歯ブラシ本体軸１の上にまず接着層７を形成し、銀合金ナノ複合膜４、およびTi化合物膜６を形成して３層構造にすることにより、中間の銀合金ナノ複合膜４の耐久性を一段と向上させることができる。図４に植毛面２の膜構成を示している。
【産業上の利用可能性】
【００１８】
本考案により、これまで実現が困難とされてきた、水道水を使っての長期間にわたる抗菌効果が持続する多機能抗菌歯ブラシが実現するものである。
【符号の説明】
【００１９】
１      歯ブラシ本体軸
２      植毛面
３      植毛穴
４      銀合金ナノ複合膜
５      天然毛等が植毛された毛束
６      Ti化合物膜（トップコート膜）
７      接着層
【図１】
0003157437.tif 000003
【図２】
0003157437.tif 000004
【図３】
0003157437.tif 000005
【図４】
0003157437.tif 000006